(57)【要約】【課題】不可避的な製造公差に起因して生じる本来の受け入れ角度に対するガイドピンの傾斜を可能な限り小さくして接続損失を低下させることが可能な光路切替機能付光コネクタ及び光路切替機能付光コネクタの選別方法を提供する。【解決手段】固定側光ファイバ１１の光軸と可動側光ファイバ１４の光軸との軸ズレ量をＸ、ガイドピン１７の長さをＬP、接続体１９の幅をＷ、固定側コネクタ１３の表面を区画する平行な二辺２１、２２の長さをそれぞれＬ1、Ｌ2、可動側コネクタ１６の表面を区画する平行な二辺２３、２４の長さをそれぞれＬ3、Ｌ4と定義し、接続体１９の表面を区画する平行な二辺２５、２６の長さがそれぞれＬ1＋Ｌ3、Ｌ2＋Ｌ4で表されるとき、式（１）の関係を満たすＬ1、Ｌ2、Ｌ3、Ｌ4を有する固定側コネクタ１３と可動側コネクタ１６との組からなる光路切替機能付光コネクタである。【選択図】図１
2014202896.tif 000002
【特許請求の範囲】
【請求項１】
固定側光ファイバの端面が露出された固定側接続面を有する固定側コネクタと、
可動側光ファイバの端面が露出された可動側接続面を有する可動側コネクタと、
前記固定側接続面又は前記可動側接続面から延出されたガイドピンと、
前記可動側接続面又は前記固定側接続面から穿通されたガイド孔と、
を備え、
前記固定側接続面と前記可動側接続面とが光軸方向に対して傾斜しており、
前記固定側コネクタと前記可動側コネクタとを前記固定側接続面及び前記可動側接続面において対向させることにより前記固定側コネクタと前記可動側コネクタとで直方体形状の接続体を形成する光路切替機能付光コネクタであって、
前記固定側光ファイバの光軸と前記可動側光ファイバの光軸との軸ズレ量をＸ、前記ガイドピンの長さをＬP、前記接続体の幅をＷ、前記固定側コネクタの表面を区画する平行な二辺の長さをそれぞれＬ1、Ｌ2、前記可動側コネクタの表面を区画する平行な二辺の長さをそれぞれＬ3、Ｌ4と定義し、前記接続体の表面を区画する平行な二辺の長さがそれぞれＬ1＋Ｌ3、Ｌ2＋Ｌ4で表されるとき、
式（１）の関係を満たすＬ1、Ｌ2、Ｌ3、Ｌ4を有する前記固定側コネクタと前記可動側コネクタとの組からなることを特徴とする光路切替機能付光コネクタ。
【数１】
2014202896.tif 000013
【請求項２】
前記固定側コネクタの裏面を区画する平行な二辺の長さをそれぞれＬ1’、Ｌ2’、前記可動側コネクタの裏面を区画する平行な二辺の長さをそれぞれＬ3’、Ｌ4’と定義し、前記接続体の裏面を区画する平行な二辺の長さがそれぞれＬ1’＋Ｌ3’、Ｌ2’＋Ｌ4’で表されるとき、
式（２）の関係を満たすＬ1’、Ｌ2’、Ｌ3’、Ｌ4’を更に有する前記固定側コネクタと前記可動側コネクタとの組からなる請求項１に記載の光路切替機能付光コネクタ。
【数２】
2014202896.tif 000014
【請求項３】
固定側光ファイバの端面が露出された固定側接続面を有する固定側コネクタと、
可動側光ファイバの端面が露出された可動側接続面を有する可動側コネクタと、
前記固定側接続面又は前記可動側接続面から延出されたガイドピンと、
前記可動側接続面又は前記固定側接続面から穿通されたガイド孔と、
を備え、
前記固定側接続面と前記可動側接続面とが光軸方向に対して傾斜しており、
前記固定側コネクタと前記可動側コネクタとを前記固定側接続面及び前記可動側接続面において対向させることにより前記固定側コネクタと前記可動側コネクタとで直方体形状の接続体を形成する光路切替機能付光コネクタの選別方法であって、
前記固定側光ファイバの光軸と前記可動側光ファイバの光軸との軸ズレ量をＸ、前記ガイドピンの長さをＬP、前記接続体の幅をＷ、前記固定側コネクタの表面を区画する平行な二辺の長さをそれぞれＬ1、Ｌ2、前記可動側コネクタの表面を区画する平行な二辺の長さをそれぞれＬ3、Ｌ4と定義し、前記接続体の表面を区画する平行な二辺の長さがそれぞれＬ1＋Ｌ3、Ｌ2＋Ｌ4で表されるとき、
複数の前記固定側コネクタと複数の前記可動側コネクタとから、式（１）の関係を満たすＬ1、Ｌ2、Ｌ3、Ｌ4を有する組を選別することを特徴とする光路切替機能付光コネクタの選別方法。
【数３】
2014202896.tif 000015
【請求項４】
前記固定側コネクタの裏面を区画する平行な二辺の長さをそれぞれＬ1’、Ｌ2’、前記可動側コネクタの裏面を区画する平行な二辺の長さをそれぞれＬ3’、Ｌ4’と定義し、前記接続体の裏面を区画する平行な二辺の長さがそれぞれＬ1’＋Ｌ3’、Ｌ2’＋Ｌ4’で表されるとき、
複数の前記固定側コネクタと複数の前記可動側コネクタとから、式（２）の関係を満たすＬ1’、Ｌ2’、Ｌ3’、Ｌ4’を更に有する組を選別する請求項３に記載の光路切替機能付光コネクタの選別方法。
【数４】
2014202896.tif 000016
【発明の詳細な説明】
【技術分野】
【０００１】
本発明は、光路を切り替える光スイッチとしても機能する光路切替機能付光コネクタ及び光路切替機能付光コネクタの選別方法に関する。
【背景技術】
【０００２】
光路切替機能付光コネクタは、固定側光ファイバの端面が露出された固定側接続面を有する固定側コネクタと、可動側光ファイバの端面が露出された可動側接続面を有する可動側コネクタと、を備えており、固定側コネクタと可動側コネクタとを固定側接続面及び可動側接続面において対向させることにより固定側光ファイバの端面と可動側光ファイバの端面とを光学的に接続する光コネクタとして機能し、固定側コネクタと可動側コネクタとを固定側接続面及び可動側接続面においてスライドさせることにより光路を切り替える光スイッチとしても機能する。
【０００３】
この光路切替機能付光コネクタでは、接続損失を低減するために、固定側光ファイバの光軸と可動側光ファイバの光軸とを高精度に一致させる必要があり、光スイッチとして機能する際もスライドの前後で光軸の高精度な一致が要求されることから、スライドの範囲を規制して光軸を高精度に一致させるべく、固定側コネクタ（又は可動側コネクタ）はガイドピンを有しており、可動側コネクタ（又は固定側コネクタ）はガイドピンを受け入れるガイド孔を有している。
【先行技術文献】
【特許文献】
【０００４】
【特許文献１】特開２０１２−１５９７９９号公報
【特許文献２】特開２０１２−１６３９２２号公報
【発明の概要】
【発明が解決しようとする課題】
【０００５】
しかしながら、固定側コネクタに対する可動側コネクタのスライドを可能とするために、ガイド孔の大きさはガイドピンの受け入れに必要な大きさよりも固定側光ファイバ及び可動側光ファイバの配列ピッチ分だけスライド方向に僅かに大きく形成されているので、固定側接続面と可動側接続面とが製造公差により互いに異なる角度で面出しされている場合には、ガイドピンが本来の受け入れ角度に対して傾斜することになり、光軸の軸ズレが生じて接続損失が増加する原因となる。
【０００６】
例えば、固定側接続面の面出し角度と可動側接続面の面出し角度とのズレが０．１度だけ存在する場合であっても、ガイドピンの長さが２７００μｍの場合には軸ズレ量が約４．６μｍとなるため、コア径が９．２μｍのシングルモード光ファイバからなる固定側光ファイバ及び可動側光ファイバを用いると、接続損失は約４．４ｄＢとなり、伝送光の光量が半分以下になってしまう。
【０００７】
また、固定側接続面の角度や可動側接続面の角度を測定し、複数の固定側コネクタと複数の可動側コネクタとから光軸の軸ズレが生じないような固定側コネクタと可動側コネクタとの組を選別することで、理論上は製造歩留を向上させることが可能であるが、面出しの角度を正確に測定することは技術的に困難であるため、角度を利用した選別方法の実施は現実的ではない。
【０００８】
そこで、本発明の目的は、不可避的な製造公差に起因して生じる本来の受け入れ角度に対するガイドピンの傾斜を可能な限り小さくして接続損失を低下させることが可能な光路切替機能付光コネクタ及び光路切替機能付光コネクタの選別方法を提供することにある。
【課題を解決するための手段】
【０００９】
この目的を達成するために創案された本発明は、固定側光ファイバの端面が露出された固定側接続面を有する固定側コネクタと、可動側光ファイバの端面が露出された可動側接続面を有する可動側コネクタと、前記固定側接続面又は前記可動側接続面から延出されたガイドピンと、前記可動側接続面又は前記固定側接続面から穿通されたガイド孔と、を備え、前記固定側接続面と前記可動側接続面とが光軸方向に対して傾斜しており、前記固定側コネクタと前記可動側コネクタとを前記固定側接続面及び前記可動側接続面において対向させることにより前記固定側コネクタと前記可動側コネクタとで直方体形状の接続体を形成する光路切替機能付光コネクタであって、前記固定側光ファイバの光軸と前記可動側光ファイバの光軸との軸ズレ量をＸ、前記ガイドピンの長さをＬP、前記接続体の幅をＷ、前記固定側コネクタの表面を区画する平行な二辺の長さをそれぞれＬ1、Ｌ2、前記可動側コネクタの表面を区画する平行な二辺の長さをそれぞれＬ3、Ｌ4と定義し、前記接続体の表面を区画する平行な二辺の長さがそれぞれＬ1＋Ｌ3、Ｌ2＋Ｌ4で表されるとき、式（１）の関係を満たすＬ1、Ｌ2、Ｌ3、Ｌ4を有する前記固定側コネクタと前記可動側コネクタとの組からなる光路切替機能付光コネクタである。
【００１０】
【数１】
2014202896.tif 000003
【００１１】
前記固定側コネクタの裏面を区画する平行な二辺の長さをそれぞれＬ1’、Ｌ2’、前記可動側コネクタの裏面を区画する平行な二辺の長さをそれぞれＬ3’、Ｌ4’と定義し、前記接続体の裏面を区画する平行な二辺の長さがそれぞれＬ1’＋Ｌ3’、Ｌ2’＋Ｌ4’で表されるとき、式（２）の関係を満たすＬ1’、Ｌ2’、Ｌ3’、Ｌ4’を更に有する前記固定側コネクタと前記可動側コネクタとの組からなると良い。
【００１２】
【数２】
2014202896.tif 000004
【００１３】
また、本発明は、固定側光ファイバの端面が露出された固定側接続面を有する固定側コネクタと、可動側光ファイバの端面が露出された可動側接続面を有する可動側コネクタと、前記固定側接続面又は前記可動側接続面から延出されたガイドピンと、前記可動側接続面又は前記固定側接続面から穿通されたガイド孔と、を備え、前記固定側接続面と前記可動側接続面とが光軸方向に対して傾斜しており、前記固定側コネクタと前記可動側コネクタとを前記固定側接続面及び前記可動側接続面において対向させることにより前記固定側コネクタと前記可動側コネクタとで直方体形状の接続体を形成する光路切替機能付光コネクタの選別方法であって、前記固定側光ファイバの光軸と前記可動側光ファイバの光軸との軸ズレ量をＸ、前記ガイドピンの長さをＬP、前記接続体の幅をＷ、前記固定側コネクタの表面を区画する平行な二辺の長さをそれぞれＬ1、Ｌ2、前記可動側コネクタの表面を区画する平行な二辺の長さをそれぞれＬ3、Ｌ4と定義し、前記接続体の表面を区画する平行な二辺の長さがそれぞれＬ1＋Ｌ3、Ｌ2＋Ｌ4で表されるとき、複数の前記固定側コネクタと複数の前記可動側コネクタとから、式（１）の関係を満たすＬ1、Ｌ2、Ｌ3、Ｌ4を有する組を選別する光路切替機能付光コネクタの選別方法である。
【００１４】
【数３】
2014202896.tif 000005
【００１５】
前記固定側コネクタの裏面を区画する平行な二辺の長さをそれぞれＬ1’、Ｌ2’、前記可動側コネクタの裏面を区画する平行な二辺の長さをそれぞれＬ3’、Ｌ4’と定義し、前記接続体の裏面を区画する平行な二辺の長さがそれぞれＬ1’＋Ｌ3’、Ｌ2’＋Ｌ4’で表されるとき、複数の前記固定側コネクタと複数の前記可動側コネクタとから、式（２）の関係を満たすＬ1’、Ｌ2’、Ｌ3’、Ｌ4’を更に有する組を選別すると良い。
【００１６】
【数４】
2014202896.tif 000006
【発明の効果】
【００１７】
本発明によれば、不可避的な製造公差に起因して生じる本来の受け入れ角度に対するガイドピンの傾斜を可能な限り小さくして接続損失を低下させることが可能な光路切替機能付光コネクタ及び光路切替機能付光コネクタの選別方法を提供することができる。
【図面の簡単な説明】
【００１８】
【図１】本発明に係る光路切替機能付光コネクタを示す図であり、（ａ）は接続前の状態を示す平面図、（ｂ）は接続後の状態を示す平面図である。
【図２】本発明に係る光路切替機能付光コネクタを示す図であり、（ａ）は接続前の状態を示す裏面図、（ｂ）は接続後の状態を示す裏面図である。
【図３】（ａ）から（ｃ）は式（１）の導出過程について説明する図である。
【図４】軸ズレによる接続損失と軸ズレ量Ｘとの関係を示す図である。
【図５】接続損失と経過時間の関係を示す図である。
【図６】接続損失と経過時間の関係を示す図である。
【発明を実施するための形態】
【００１９】
以下、本発明の好適な実施の形態を添付図面にしたがって説明する。
【００２０】
図１（ａ）及び（ｂ）に示すように、本実施の形態に係る光路切替機能付光コネクタ１０は、固定側光ファイバ１１の端面が露出された固定側接続面１２を有する固定側コネクタ１３と、可動側光ファイバ１４の端面が露出された可動側接続面１５を有する可動側コネクタ１６と、固定側接続面１２（又は可動側接続面１５）から延出されたガイドピン１７と、可動側接続面１５（又は固定側接続面１２）から穿通されたガイド孔１８と、を備える。
【００２１】
固定側光ファイバ１１と可動側光ファイバ１４は、シングルモード光ファイバやマルチモード光ファイバからなり、それぞれ同一の本数が同一の配列ピッチで固定側コネクタ１３又は可動側コネクタ１６に収容されている。
【００２２】
ガイドピン１７は、ボルト形状の部材からなり、固定側コネクタ１３を光軸方向に貫通するようにして設けられている。
【００２３】
ガイド孔１８は、ガイドピン１７を受け入れるために、ガイドピン１７と同様に可動側コネクタ１６の光軸方向に穿通されている。ガイド孔１８の大きさは、ガイドピン１７の受け入れに必要な大きさよりも固定側光ファイバ１１及び可動側光ファイバ１４の配列ピッチ分だけスライド方向に僅かに大きく形成されているため、ガイドピン１７が本来の受け入れ角度に対して傾斜する現象が生じ得る。
【００２４】
固定側接続面１２と可動側接続面１５は、固定側光ファイバ１１の光軸と可動側光ファイバ１４の光軸に対して平行な方向である光軸方向に対して傾斜している。これにより、固定側光ファイバ１１の端面と可動側光ファイバ１４の端面とを光学的に接続したときの接続損失の増加を防止することができる。
【００２５】
なお、固定側接続面１２と可動側接続面１５との間には、固定側コネクタ１３と可動側コネクタ１６とを固定側接続面１２及び可動側接続面１５においてスライドさせたときに、固定側光ファイバ１１の端面や可動側光ファイバ１４の端面が摩耗して接続損失が増加することを防止する介在部材（図示せず）が設けられていても構わない。
【００２６】
固定側コネクタ１３と可動側コネクタ１６は、固定側接続面１２及び可動側接続面１５において対向させることにより固定側コネクタ１３と可動側コネクタ１６とで直方体形状の接続体１９を形成する。
【００２７】
固定側コネクタ１３と可動側コネクタ１６は、構成的な相違は無いが、固定側コネクタ１３の方は平坦な基板上に固定され、可動側コネクタ１６の方はスライドされる点で相違している。
【００２８】
この固定側コネクタ１３と可動側コネクタ１６は、直方体形状のコネクタ本体に固定側光ファイバ１１又は可動側光ファイバ１４を収容して接着剤で固定した後、コネクタ本体の先端を所定の角度（例えば、８度）で研磨して固定側接続面１２又は可動側接続面１５を面出しすることによって得られる。
【００２９】
このとき、固定側コネクタ１３と可動側コネクタ１６は、不可避的な製造公差により互いに異なる角度で面出しされてしまうため、複数の固定側コネクタ１３と複数の可動側コネクタ１６とから無作為に選択した固定側コネクタ１３と可動側コネクタ１６との組によって光路切替機能付光コネクタを形成すると、固定側光ファイバ１１の光軸と可動側光ファイバ１４の光軸との間に目標値を超える接続損失を生じさせる大きな軸ズレが発生してしまう虞がある。
【００３０】
そこで、光路切替機能付光コネクタ１０では、固定側コネクタ１３の表面を区画する平行な二辺２１、２２の長さと可動側コネクタ１６の表面を区画する平行な二辺２３、２４の長さとが所定の関係を満たすように、複数の固定側コネクタ１３と複数の可動側コネクタ１６とから固定側コネクタ１３と可動側コネクタ１６との組を選別し、この選別した特定の組によって光路切替機能付光コネクタ１０を形成することで、光路切替機能付光コネクタ１０で発生する接続損失を目標値以下に抑えるようにした。
【００３１】
即ち、光路切替機能付光コネクタ１０は、固定側光ファイバ１１の光軸と可動側光ファイバ１４の光軸との軸ズレ量をＸ（図３（ｃ）参照）、ガイドピン１７の長さをＬP、接続体１９の幅をＷ、固定側コネクタ１３の表面を区画する平行な二辺２１、２２の長さをそれぞれＬ1、Ｌ2、可動側コネクタ１６の表面を区画する平行な二辺２３、２４の長さをそれぞれＬ3、Ｌ4と定義し、接続体１９の表面を区画する平行な二辺２５、２６の長さがそれぞれＬ1＋Ｌ3、Ｌ2＋Ｌ4で表されるとき、式（１）の関係を満たすＬ1、Ｌ2、Ｌ3、Ｌ4を有する固定側コネクタ１３と可動側コネクタ１６との組からなることを特徴とする。
【００３２】
【数５】
2014202896.tif 000007
【００３３】
更に、光路切替機能付光コネクタ１０は、図２（ａ）及び（ｂ）に示すように、固定側コネクタ１３の裏面を区画する平行な二辺２７、２８の長さをそれぞれＬ1’、Ｌ2’、可動側コネクタ１６の裏面を区画する平行な二辺２９、３１の長さをそれぞれＬ3’、Ｌ4’と定義し、接続体１９の裏面を区画する平行な二辺３２、３３の長さがそれぞれＬ1’＋Ｌ3’、Ｌ2’＋Ｌ4’で表されるとき、式（２）の関係を満たすＬ1’、Ｌ2’、Ｌ3’、Ｌ4’を更に有する固定側コネクタ１３と可動側コネクタ１６との組からなることが好ましい。
【００３４】
【数６】
2014202896.tif 000008
【００３５】
表裏面において所定の関係を満たすことにより、接続損失を確実に目標値以下に抑えることが可能となるからである。
【００３６】
以下、式（１）と式（２）の導出過程を説明する。
【００３７】
図３に示すように、固定側接続面１２と可動側接続面１５とが不可避的な製造公差により互いに異なる角度で面出しされている光路切替機能付光コネクタ３０を考える（図３（ａ）参照）。ここでは、計算を簡単にするために、可動側コネクタ１６の可動側接続面１５が光軸方向に対して垂直であるものとする。
【００３８】
この光路切替機能付光コネクタ３０において、固定側光ファイバ１１の端面と可動側光ファイバ１４の端面とを光学的に接続すると、固定側光ファイバ１１の光軸と可動側光ファイバ１４の光軸との間に軸ズレが生じる（図３（ｂ）参照）。
【００３９】
ここで、部分Ｚを拡大すると、固定側光ファイバ１１の光軸と可動側光ファイバ１４の光軸との間に軸ズレ量Ｘだけ軸ズレが生じていることが分かる（図３（ｃ）参照）。
【００４０】
この軸ズレ量Ｘは、ガイドピン１７の長さＬPと軸ズレにより生じた角度θとを用いて式（３）で表すことができる。
【００４１】
【数７】
2014202896.tif 000009
【００４２】
このとき、ガイドピン１７の先端がガイド孔１８の内周面に接触するまで、固定側コネクタ１３と可動側コネクタ１６とを固定側接続面１２及び可動側接続面１５においてスライドさせ、その状態でガイド孔１８に接触する部分３４とその根元の部分３５との距離をガイドピン１７の長さＬPとして用いると正確である。
【００４３】
しかしながら、ガイドピン１７の長さＬPに多少の誤差が含まれていても、計算にそれほど大きな影響を与えることは無いので、単にガイドピン１７の延出長さをＬPとして用いても良い。
【００４４】
そして、式（３）の角度θは、辺２１、２２、２３、２４の長さＬ1、Ｌ2、Ｌ3、Ｌ4と接続体１９の幅Ｗとを用いて式（４）で表すことができる。
【００４５】
【数８】
2014202896.tif 000010
【００４６】
なお、固定側コネクタ１３と可動側コネクタ１６は、金型に樹脂を流し込む等して成型することから、固定側接続面１２の面出し角度と可動側接続面１５の面出し角度とが相違することを除けば、両者の外形は略正確に一致しており、固定側コネクタ１３と可動側コネクタ１６とに形成されたフランジ部３６、３７やその他の部分の寸法は無視できる。
【００４７】
従って、本来の固定側コネクタ１３及び可動側コネクタ１６の寸法からフランジ部３６、３７の長さを除いて、辺２１、２２、２３、２４の長さＬ1、Ｌ2、Ｌ3、Ｌ4としている。
【００４８】
この式（４）を式（３）に代入すると式（５）が得られる。
【００４９】
【数９】
2014202896.tif 000011
【００５０】
ここで、軸ズレ量Ｘが大きくなればなるほど軸ズレによる接続損失が増加することになるので、接続損失の目標値から逆算した軸ズレ量Ｘの値を許容可能な軸ズレ量Ｘの最大値として考えると、式（５）の右辺の値が左辺の値以下となるような関係であれば接続損失が目標値以下となる。
【００５１】
以上の導出過程により式（１）を導き出すことができる。
【００５２】
この式（１）の関係を満たすＬ1、Ｌ2、Ｌ3、Ｌ4を有する固定側コネクタ１３と可動側コネクタ１６との組からなる光路切替機能付光コネクタ１０であれば接続損失が目標値以下であることが保証される。
【００５３】
式（１）における軸ズレ量Ｘは、軸ズレによる接続損失と軸ズレ量Ｘとの関係から求めることができる。ここでは、一例として、コア径が９．２μｍのシングルモード光ファイバからなる固定側光ファイバ１１及び可動側光ファイバ１４を用いて、軸ズレによる接続損失と軸ズレ量Ｘとの関係を計算によって求めた。
【００５４】
その結果、軸ズレによる接続損失と軸ズレ量Ｘとの関係は図４に示す通りとなった。図４から分かるように、例えば、接続損失の目標値を１ｄＢ以下と設定した場合には、許容可能な軸ズレ量Ｘの最大値は２．２μｍとなる。
【００５５】
従って、式（１）における未知数は、辺２１、２２、２３、２４の長さＬ1、Ｌ2、Ｌ3、Ｌ4のみであるので、これらの値を測定して式（１）の関係を満たすＬ1、Ｌ2、Ｌ3、Ｌ4を有する固定側コネクタ１３と可動側コネクタ１６との組を選別することで、接続損失が目標値以下となる光路切替機能付光コネクタ１０を形成することが可能となる。
【００５６】
なお、式（１）は光路切替機能付光コネクタ１０の表面における規定、式（２）は光路切替機能付光コネクタ１０の裏面における規定であり、両者は表裏一体の関係にあることから、式（２）の導出過程は式（１）の導出過程と同一であるので説明を省略する。
【００５７】
以上から、光路切替機能付光コネクタの選別方法について纏めると、本実施の形態に係る光路切替機能付光コネクタの選別方法は、固定側光ファイバ１１の光軸と可動側光ファイバ１４の光軸との軸ズレ量をＸ、ガイドピン１７の長さをＬP、接続体１９の幅をＷ、固定側コネクタ１３の表面を区画する平行な二辺２１、２２の長さをそれぞれＬ1、Ｌ2、可動側コネクタ１６の表面を区画する平行な二辺２３、２４の長さをそれぞれＬ3、Ｌ4と定義し、接続体１９の表面を区画する平行な二辺２５、２６の長さがそれぞれＬ1＋Ｌ3、Ｌ2＋Ｌ4で表されるとき、複数の固定側コネクタ１３と複数の可動側コネクタ１６とから、式（１）の関係を満たすＬ1、Ｌ2、Ｌ3、Ｌ4を有する組を選別することを特徴とする。
【００５８】
更に、光路切替機能付光コネクタの選別方法では、固定側コネクタ１３の裏面を区画する平行な二辺２７、２８の長さをそれぞれＬ1’、Ｌ2’、可動側コネクタ１６の裏面を区画する平行な二辺２９、３１の長さをそれぞれＬ3’、Ｌ4’と定義し、接続体１９の裏面を区画する平行な二辺３２、３３の長さがそれぞれＬ1’＋Ｌ3’、Ｌ2’＋Ｌ4’で表されるとき、複数の固定側コネクタ１３と複数の可動側コネクタ１６とから、式（２）の関係を満たすＬ1’、Ｌ2’、Ｌ3’、Ｌ4’を更に有する組を選別することが好ましい。
【００５９】
この光路切替機能付光コネクタの選別方法により、複数の固定側コネクタ１３と複数の可動側コネクタ１６とから特定の組を選別し、その特定の組により光路切替機能付光コネクタ１０を形成することで、接続損失が目標値以下の光路切替機能付光コネクタ１０を得ることができる。
【００６０】
これまで説明してきたように、本実施の形態に係る光路切替機能付光コネクタ１０は、角度に比べて正確な測定が可能な長さのみに基づいて、複数の固定側コネクタ１３と複数の可動側コネクタ１６とから特定の組を選別したものであるため、現実的に実施することが可能である。
【００６１】
そして、光路切替機能付光コネクタ１０では、軸ズレによる接続損失が目標値以下となることが保証されており、固定側コネクタ１３と可動側コネクタ１６とを固定側接続面１２及び可動側接続面１５において対向又はスライドさせる際にガイド孔１８でガイドピン１７を受け入れることにより固定側光ファイバ１１の光軸と可動側光ファイバ１４の光軸とが略一致する。
【００６２】
従って、光路切替機能付光コネクタ１０では、光路を切り替えるときの動作が従来に比べて安定し、接続損失の変動を少なくすることが可能である。
【００６３】
以上の通り、本発明によれば、不可避的な製造公差に起因して生じる本来の受け入れ角度に対するガイドピン１７の傾斜を可能な限り小さくして接続損失を低下させることが可能な光路切替機能付光コネクタ１０及び光路切替機能付光コネクタの選別方法を提供することができる。
【実施例】
【００６４】
次に、本発明の実施例を説明する。
【００６５】
接続損失を規格値である１．５ｄＢ以下に抑えるため、光軸の軸ズレ以外の要素に起因する接続損失のために０．５ｄＢだけ余裕を取り、不可避的な製造公差によって生じる固定側接続面１２の面出し角度と可動側接続面１５の面出し角度との差による接続損失の目標値を１．０ｄＢに設定した。
【００６６】
図４を参照すると、接続損失が１．０ｄＢ以下となる軸ズレ量Ｘの最大値を求めると２．２μｍとなるので、Ｘ＝２．２μｍ、ＬP＝２７００μｍ、Ｗ＝６４００μｍを式（１）に代入して整理すると式（６）が得られる。
【００６７】
【数１０】
2014202896.tif 000012
【００６８】
式（６）から接続体１９の表面を区画する平行な二辺２５、２６の長さの差の絶対値が５．２μｍ以下であれば、接続損失が目標値である１．０ｄＢ以下となることが分かる。
【００６９】
以上の関係を表面（片側）のみにおいて満たすように組み合わせを選定した実施例１と表裏面の両面（両側）において満たすように組み合わせを選定した実施例２について稼働時の接続損失をシミュレートした。温度が−２５度で稼働時間が２００時間の場合の結果を図５、温度が７０度で稼働時間が２００時間の場合の結果を図６に示す。
【００７０】
これらの図から分かるように、表裏面の両面において式（１）の関係を満たすことにより、接続損失を大幅に低減することが可能である。
【００７１】
以上より、本発明の効果とより好ましい態様について実証がなされた。
【符号の説明】
【００７２】
１０  光路切替機能付光コネクタ
１１  固定側光ファイバ
１２  固定側接続面
１３  固定側コネクタ
１４  可動側光ファイバ
１５  可動側接続面
１６  可動側コネクタ
１７  ガイドピン
１８  ガイド孔
１９  接続体
２１  辺
２２  辺
２３  辺
２４  辺
２５  辺
２６  辺
【図１】
2014202896.tif 000017
【図２】
2014202896.tif 000018
【図３】
2014202896.tif 000019
【図４】
2014202896.tif 000020
【図５】
2014202896.tif 000021
【図６】
2014202896.tif 000022